(57)【要約】【課題】各種電子機器に使用される開閉装置に関し、滑らかで確実な開閉操作が可能なものを提供することを目的とする。【解決手段】ばね７と可動体１３または固定ケース５の、少なくとも一方の間に摺動部材１５や１６を設け、ばね７端部を可動体１３や固定ケース５ではなく、摺動部材１５や１６に弾接させると共に、摺動部材１５や１６または可動体１３、固定ケース５の一方の中央部に突出部１３Ａや１６Ａを設け、この面積の小さな突出部１３Ａや１６Ａを他方に当接させることによって、開閉操作時の摺動部材１５や１６と可動体１３や固定ケース５の摩擦が小さなものとなり、これらの磨耗を少なくできるため、開閉操作が長期間繰り返された場合でも、引っ掛かり感等がなく、滑らかで確実な開閉操作を行うことが可能な開閉装置を得ることができる。【選択図】図１
2011033128.tif 000002
【特許請求の範囲】
【請求項１】
固定カムが設けられた固定体と、この固定体に対し回転可能に配置されると共に、上記固定カムに弾接する可動カムが設けられた可動体と、この可動体を上記固定体の方向へ付勢するばねと、これらを収納した略円筒状の固定ケースからなり、上記ばねと上記可動体または上記固定ケースの、少なくとも一方の間に摺動部材を設けると共に、上記摺動部材または上記可動体、上記固定ケースの一方の中央部に突出部を設け、この突出部を他方に当接させた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、滑らかで確実な開閉操作を行えるものが求められている。
【０００３】
このような従来の開閉装置について、図５〜図７を用いて説明する。
【０００４】
なお、これらの図面は構成を判り易くするために、部分的に寸法を拡大して表している。
【０００５】
図６は従来の開閉装置の断面図、図７は同分解斜視図であり、同図において、１は略円筒状の固定体で、この左端面外周には、突出部２Ａ、及びこの突出部２Ａから上下へ延出する二つの傾斜部２Ｂ、２Ｃから形成された、一対の固定カム２が設けられている。
【０００６】
また、３は同じく略円筒状の可動体で、固定体１に対し開閉方向へ回転可能に、かつ軸線方向へ移動可能に配置されると共に、固定カム２との対向面である右端面外周には一対の可動カム４が設けられている。
【０００７】
そして、５は略円筒状の固定ケース、６は略円柱状の可動軸で、固定ケース５右端の開口部に固定体１が固着されると共に、可動軸６の右端部がこの固定体１内を挿通し、外方へ回転可能に突出している。
【０００８】
さらに、可動軸６の中間部には可動体３が、軸線方向へ移動可能に装着されると共に、可動軸６の左端部はかしめ等によって、固定ケース５外側面に回転可能に係止されている。
【０００９】
また、７はコイル状のばねで、可動体３左端面と固定ケース５内側面の間に、ばね７がやや撓んだ状態で装着され、このばね７によって可動体３が右方向へ付勢され、可動カム４の先端が固定カム２の傾斜部２Ｃへ弾接している。
【００１０】
さらに、これら固定体１や可動体３、可動体３を固定体１の方向へ付勢するばね７等が、固定ケース５内に収納されて、開閉装置１０が構成されている。
【００１１】
そして、このように構成された開閉装置１０が、例えば、図５の携帯電話の斜視図に示すように、固定ケース５が上面に複数のキーからなる操作部２１Ａやマイクロフォン等の音声入力部２１Ｂが形成された固定筐体２１へ、固定ケース５右端から突出した可動軸６の右端部が、表面に液晶表示素子等の表示部２２Ａやスピーカ等の音声出力部２２Ｂが形成された可動筐体２２へ各々固着され、開閉装置１０によって固定筐体２１に対して可動筐体２２が開閉可能に軸支されて電子機器が構成される。
【００１２】
以上の構成において、図６に示したように、可動カム４の先端が固定カム２下側の傾斜部２Ｃへ弾接した状態では、可動体３がばね７によって下方向の閉方向へ付勢されているため、可動軸６が装着された可動筐体２２は、固定筐体２１に対して閉じた状態で保持されている。
【００１３】
そして、この閉状態から、可動筐体２２を手で開くと、可動筐体２２に右端部が装着固定された可動軸６が回転し、可動体３が固定ケース５内を左方向の軸線方向へ回転しながら移動して、可動カム４先端が固定カム２の突出部２Ａを超えて、上側の傾斜部２Ｂへ弾接すると、可動体３が開方向へ付勢されるため、この力によって可動筐体２２に開く方向の力が加わり、可動筐体２２が固定筐体２１に対して所定角度に開いた状態となる。
【００１４】
つまり、可動筐体２２に装着された可動軸６を回転させることによって、ばね７に付勢された可動体３を軸線方向へ移動させ、可動カム４先端を固定カム２の傾斜部２Ｂまたは２Ｃのいずれかへ弾接させて、固定筐体２１に対する可動筐体２２の開閉操作が行われるように構成されている。
【００１５】
なお、このように開閉操作を行う際、可動体３を付勢するばね７が、可動体３左端面と固定ケース５内側面の間にやや撓んだ状態で装着され、ばね７右端は可動体３左端面に、ばね７左端は固定ケース５内側面に各々弾接しているため、ばね７が回転しない状態では可動体３左端面との間に、ばね７が可動体３と共に回転する状態では固定ケース５内側面との間に、各々摩擦が生じる。
【００１６】
そして、この摩擦によって可動体３左端面や固定ケース５内側面に磨耗が生じ、これが甚だしくなると、ばね７両端と可動体３や固定ケース５の間に引っ掛かり感等が発生し、滑らかな操作感触が損なわれてしまう。
【００１７】
このため、ばね７両端と可動体３や固定ケース５の間に、オイルやグリス等の潤滑剤を塗布し、これらの間の摩擦を少なくする等の対策が行われてはいるが、開閉操作が長期間繰り返された場合、このような操作感触の劣化を防ぐことは困難なものであった。
【００１８】
なお、この出願の発明に関連する先行技術文献情報としては、例えば、特許文献１が知られている。
【先行技術文献】
【特許文献】
【００１９】
【特許文献１】特開２００７−２７１００８号公報
【発明の概要】
【発明が解決しようとする課題】
【００２０】
しかしながら、上記従来の開閉装置においては、可動体３を付勢するばね７が、可動体３左端面と固定ケース５内側面の間にやや撓んだ状態で装着され、開閉操作時に、ばね７両端と可動体３や固定ケース５の間に摩擦が生じるため、開閉操作が長期間繰り返された場合、可動体３や固定ケース５に磨耗が生じ、これが甚だしくなると引っ掛かり感等が発生して、滑らかな操作感触が損なわれてしまう場合があるという課題があった。
【００２１】
本発明は、このような従来の課題を解決するものであり、滑らかで確実な開閉操作が可能な開閉装置を提供することを目的とする。
【課題を解決するための手段】
【００２２】
上記目的を達成するために本発明は、ばねと可動体または固定ケースの、少なくとも一方の間に摺動部材を設けると共に、摺動部材または可動体、固定ケースの一方の中央部に突出部を設け、この突出部を他方に当接させて開閉装置を構成したものであり、ばね端部を可動体や固定ケースではなく、摺動部材に弾接させると共に、摺動部材と可動体や固定ケースを、面積の小さな突出部で当接させることによって、開閉操作時の摺動部材と可動体や固定ケースの摩擦が小さなものとなり、これらの磨耗を少なくできるため、開閉操作が長期間繰り返された場合でも、引っ掛かり感等がなく、滑らかで確実な開閉操作を行うことが可能な開閉装置を得ることができるという作用を有するものである。
【発明の効果】
【００２３】
以上のように本発明によれば、滑らかで確実な開閉操作が可能な開閉装置を実現することができるという有利な効果が得られる。
【図面の簡単な説明】
【００２４】
【図１】本発明の一実施の形態による開閉装置の断面図
【図２】同分解斜視図
【図３】同他の実施の形態による断面図
【図４】同分解斜視図
【図５】携帯電話の斜視図
【図６】従来の開閉装置の断面図
【図７】同分解斜視図
【発明を実施するための形態】
【００２５】
以下、本発明の実施の形態について、図１〜図５を用いて説明する。
【００２６】
なお、これらの図面は構成を判り易くするために、部分的に寸法を拡大して表している。
【００２７】
また、背景技術の項で説明した構成と同一構成の部分には同一符号を付して、詳細な説明を簡略化する。
【００２８】
（実施の形態）
図１は本発明の一実施の形態による開閉装置の断面図、図２は同分解斜視図であり、同図において、１は略円筒状で鋼や銅合金、焼結合金、或いは合成樹脂等の固定体で、この左端面外周には、突出部２Ａ、及びこの突出部２Ａから上下へ延出する二つの傾斜部２Ｂ、２Ｃから形成された、一対の固定カム２が設けられている。
【００２９】
そして、１３は同じく略円筒状で鋼や銅合金、焼結合金、或いは合成樹脂等の可動体で、固定体１に対し開閉方向へ回転可能に、かつ軸線方向へ移動可能に配置されると共に、固定カム２との対向面である右端面外周には一対の可動カム４が設けられている。
【００３０】
また、５は略円筒状で鋼や銅合金、焼結合金、或いは合成樹脂等の固定ケース、６は同じく略円柱状の可動軸で、固定ケース５右端の開口部に固定体１が固着されると共に、可動軸６の右端部がこの固定体１内を挿通し、外方へ回転可能に突出している。
【００３１】
さらに、可動軸６の中間部には可動体１３が、軸線方向へ移動可能に装着されると共に、可動軸６の左端部はかしめ等によって、固定ケース５外側面に回転可能に係止されている。
【００３２】
そして、７はコイル状で銅合金や鋼線製のばね、１５は略リング状で鋼や銅合金製の摺動部材で、この摺動部材１５左端面と固定ケース５内側面の間に、ばね７がやや撓んだ状態で装着され、このばね７によって可動体１３が右方向へ付勢され、可動カム４の先端が固定カム２の傾斜部２Ｃへ弾接している。
【００３３】
さらに、可動体１３左端面の中央部には左方へ突出する突出部１３Ａが形成され、ばね７が左端面外周に弾接した摺動部材１５の中央部に、この突出部１３Ａが当接している。
【００３４】
また、これら固定体１や可動体１３、可動体１３を固定体１の方向へ付勢するばね７等が、固定ケース５内に収納されて、開閉装置２０が構成されている。
【００３５】
そして、このように構成された開閉装置２０が、例えば、図５の携帯電話の斜視図に示すように、固定ケース５が上面に複数のキーからなる操作部２１Ａやマイクロフォン等の音声入力部２１Ｂが形成された固定筐体２１へ、固定ケース５右端から突出した可動軸６の右端部が、表面に液晶表示素子等の表示部２２Ａやスピーカ等の音声出力部２２Ｂが形成された可動筐体２２へ各々固着され、開閉装置２０によって固定筐体２１に対して可動筐体２２が開閉可能に軸支されて電子機器が構成される。
【００３６】
以上の構成において、図１に示したように、可動カム４の先端が固定カム２下側の傾斜部２Ｃへ弾接した状態では、可動体１３が摺動部材１５を介してばね７によって下方向の閉方向へ付勢されているため、可動軸６が装着された可動筐体２２は、固定筐体２１に対して閉じた状態で保持されている。
【００３７】
そして、この閉状態から、可動筐体２２を手で開くと、可動筐体２２に右端部が装着固定された可動軸６が回転し、可動体１３が固定ケース５内を左方向の軸線方向へ回転しながら移動して、可動カム４先端が固定カム２の突出部２Ａを超えて、上側の傾斜部２Ｂへ弾接すると、可動体１３が開方向へ付勢されるため、この力によって可動筐体２２に開く方向の力が加わり、可動筐体２２が固定筐体２１に対して所定角度に開いた状態となる。
【００３８】
つまり、可動筐体２２に装着された可動軸６を回転させることによって、ばね７に付勢された可動体１３を軸線方向へ移動させ、可動カム４先端を固定カム２の傾斜部２Ｂまたは２Ｃのいずれかへ弾接させて、固定筐体２１に対する可動筐体２２の開閉操作が行われるように構成されている。
【００３９】
そして、この時、可動体１３は左端面中央部の突出部１３Ａが、左端面外周にばね７が弾接した摺動部材１５の右端面中央部に当接し、外周に比べ当接面積の小さな突出部１３Ａが、摺動部材１５の右端面中央部に弾接して可動体１３が回転するため、摺動部材１５に対する可動体１３の摩擦モーメントが小さなものとなり、摺動部材１５及び可動体１３中央部の磨耗が各々少なくなるようになっている。
【００４０】
すなわち、可動体１３左端面と摺動部材１５右端面の全面を当接させるのではなく、中央部の突出部１３Ａを摺動部材１５の中央部に当接させることによって、例えば突出部１３Ａの当接面積が、全面を当接させた場合に対し半分であった場合には、可動体１３と摺動部材１５の間の摩擦モーメントを半分にすることができる。
【００４１】
つまり、ばね７右端と可動体１３の間に摺動部材１５を設け、ばね７の右端を可動体１３に直接弾接させるのではなく、摺動部材１５を介して弾接させると共に、可動体１３左端面の中央部に突出部１３Ａを設け、この面積の小さな突出部１３Ａを摺動部材１５の中央部に当接させることによって、開閉操作時の摺動部材１５と可動体１３の摩擦が小さなものとなり、これらの磨耗を少なくできるため、開閉操作が長期間繰り返された場合でも、引っ掛かり感等がなく、滑らかで確実な開閉操作を行うことができるように構成されている。
【００４２】
なお、以上の説明では、ばね７右端と可動体１３の間に摺動部材１５を設けると共に、可動体１３左端面の中央部に突出部１３Ａを形成した構成について説明したが、図３の断面図や図４の分解斜視図に示すように、ばね７左端と固定ケース５内側面の間に摺動部材１６を設け、この摺動部材１６左端面の中央部に突出部１６Ａを形成した構成としても、本発明の実施は可能である。
【００４３】
すなわち、同図においては、略リング状の摺動部材１６左端面の中央部に形成された突出部１６Ａが、固定ケース５内側面の中央部に当接すると共に、ばね７が摺動部材１５右端面と可動体１３左端面の間にやや撓んだ状態で装着され、可動体１３を右方向へ付勢して、可動カム４の先端が固定体１の固定カム２に弾接している。
【００４４】
したがって、開閉操作を行った場合、上述した構成とは異なり、ばね７が可動体１３と共に回転すると共に、このばね７が右端面外周に弾接した摺動部材１６が、左端面の面積の小さな突出部１６Ａを、固定ケース５内側面の中央部に当接させて回転する。
【００４５】
つまり、ばね７左端と固定ケース５内側面の間に摺動部材１６を設けると共に、摺動部材１６左端面の中央部に突出部１６Ａを形成し、この面積の小さな突出部１６Ａを固定ケース５内側面の中央部に当接させることによって、開閉操作時の摺動部材１６と固定ケース５の摩擦が小さなものとなり、これらの磨耗を少なくできるように構成されている。
【００４６】
なお、このように摺動部材１６左端面の中央部に突出部１６Ａを形成した構成や、上述したように可動体１３左端面の中央部に突出部１３Ａを形成した構成のほか、ばね７右端と可動体１３の間に摺動部材１５を設けた場合には、摺動部材１５右端面の中央部に突出部を、ばね７左端と固定ケース５内側面の間に摺動部材１６を設けた場合には、固定ケース５内側面の中央部に突出部を各々形成した構成としても、本発明の実施は可能である。
【００４７】
また、以上の説明では、略リング状で鋼や銅合金製の摺動部材１５や１６を用い、これらを可動体１３や固定ケース５に弾接させる構成について説明したが、摺動部材１５や１６にフッ素含有の無電解ニッケルめっき等の潤滑めっきを施すことによって、可動体１３や固定ケース５との摩擦をさらに小さなものとすることができる。
【００４８】
このように本実施の形態によれば、ばね７と可動体１３または固定ケース５の、少なくとも一方の間に摺動部材１５や１６を設け、ばね７端部を可動体１３や固定ケース５ではなく、摺動部材１５や１６に弾接させると共に、摺動部材１５や１６または可動体１３、固定ケース５の一方の中央部に突出部１３Ａや１６Ａを設け、この面積の小さな突出部１３Ａや１６Ａを他方に当接させることによって、開閉操作時の摺動部材１５や１６と可動体１３や固定ケース５の摩擦が小さなものとなり、これらの磨耗を少なくできるため、開閉操作が長期間繰り返された場合でも、引っ掛かり感等がなく、滑らかで確実な開閉操作を行うことが可能な開閉装置を得ることができるものである。
【００４９】
なお、以上の説明では、開閉装置２０の固定ケース５を携帯電話の固定筐体２１へ、固定ケース５右端から突出した可動軸６の右端部を、可動筐体２２へ各々固着した構成として説明したが、これとは逆に固定ケース５を可動筐体２２へ、可動軸６の右端部を固定筐体２１へ各々固着し、固定体１や固定ケース５等を可動部材として、可動体１３や可動軸６等を固定部材として各々用いる構成としても、本発明の実施は可能である。
【産業上の利用可能性】
【００５０】
本発明による開閉装置は、滑らかで確実な開閉操作が可能なものを得ることができ、各種電子機器に使用される開閉装置として有用である。
【符号の説明】
【００５１】
１  固定体
２  固定カム
２Ａ  突出部
２Ｂ、２Ｃ  傾斜部
４  可動カム
５  固定ケース
６  可動軸
７  ばね
１３  可動体
１３Ａ  突出部
１５、１６  摺動部材
１６Ａ  突出部
２０  開閉装置
２１  固定筐体
２１Ａ  操作部
２１Ｂ  音声入力部
２２  可動筐体
２２Ａ  表示部
２２Ｂ  音声出力部
【図１】
2011033128.tif 000003
【図２】
2011033128.tif 000004
【図３】
2011033128.tif 000005
【図４】
2011033128.tif 000006
【図５】
2011033128.tif 000007
【図６】
2011033128.tif 000008
【図７】
2011033128.tif 000009